(57)【特許請求の範囲】
【請求項１】
建物内に設置して室内空間を仕切る仕切り装置であって、該室内の天井と床とに設けられた支軸と、該支軸に、回転自在且つ該支軸の軸線に対して直交する方向に移動自在に支持された仕切体とを備えるものにおいて、
前記仕切体は、矩形状の本体と、該本体の側面に設けられて該本体の長さ方向に移動自在のパネル部材とを備えると共に、前記支軸に着脱自在に支持されており、
前記支軸は、棒状に形成されて前記室内の天井から床にわたって延設され、
前記仕切体は、該支軸が高さ方向に貫通する貫通孔を介して該支軸に支持されていることを特徴とする仕切り装置。
【請求項２】
建物内に設置して室内空間を仕切る仕切り装置であって、該室内の天井と床とに設けられた支軸と、該支軸に、回転自在且つ該支軸の軸線に対して直交する方向に移動自在に支持された仕切体とを備えるものにおいて、
前記仕切体は、矩形状の本体と、該本体の側面に設けられて該本体の長さ方向に移動自在のパネル部材とを備えると共に、前記支軸に着脱自在に支持されており、
前記支軸は、天井に設けられた上部支軸と、床に設けられた下部支軸とによって構成され、
前記仕切体は、該仕切体の上縁部に沿って移動自在に設けられ前記上部支軸に回転自在に連結された上部連結部材と、該仕切体の下縁部に沿って移動自在に設けられ前記下部支軸に回転自在に連結された下部連結部材とを備え、
前記上部連結部材は、前記仕切体の幅方向の両側から該仕切体の上縁部の一部を挟持して該仕切体をその上縁部の略全長にわたって摺動自在に連結保持し、
前記下部連結部材は、前記仕切体の幅方向の両側から該仕切体の下縁部の一部を挟持して該仕切体をその下縁部の略全長にわたって摺動自在に連結保持することを特徴とする仕切り装置。
【請求項３】
前記パネル部材は、障子や開閉窓等の建具構造体を備えることを特徴とする請求項１又は２記載の仕切り装置。
【請求項４】
前記パネル部材は、棚や折畳机等の家具構造体を備えることを特徴とする請求項１又は２記載の仕切り装置。
【発明の詳細な説明】
【０００１】
【発明の属する技術分野】
本発明は、建物内において所望の位置を仕切ることができる仕切り装置に関する。
【０００２】
【従来の技術】
従来、特開２０００−１４５１７１号公報や特開２００１−１７３１３３号公報に見られるように、居住者のライフスタイルや好みに応じて間取りを変更することができる仕切り装置が提案されている。
【０００３】
この種の仕切り装置は、室内に立設された支軸に、板状の仕切体の一側端縁が回動自在に支持されてなる。これにより、支軸回りに仕切体を回転させて所望の居住領域を仕切ることにより、間取りレイアウトを住人の使い易いように変更することが可能となる。
【０００４】
しかし、仕切体を回転させるときには、支軸から仕切体の他側端縁までの距離を回転半径とする空間が必要となる。このため、室内の形状に伴って壁から内方に向かう張り出し等があると、仕切体の回転が妨げられて間取りの変更が円滑に行なえず、使い勝手が悪い不都合がある。また、例えば、建物の骨組みになる柱を支軸として併用した場合には、支軸の位置を移動させることができず、支軸の位置によって間取りの自由度が制限される不都合がある。
【０００５】
また、それ以外に一般的な方法としては、例えば、部屋内の所望の位置に家具を設置して部屋内を仕切ることが行なわれる。これによれば、家具が間仕切りとして機能するだけでなく、該家具に物品を収納することができ、居住空間を有効に活用することができる。しかし、家具を間仕切りとして利用した場合、間取りを変更するための家具の移動には複数の人手が必要となる不都合がある。また、これらの家具は壁に沿って立てられていないので、倒れ防止のために固定具を用いることがあるが、固定具によって固定された家具は容易に移動することができず、間取りを変更することが困難となる不都合がある。
【０００７】
【発明が解決しようとする課題】
かかる不都合を解消して、本発明は、建物の室内空間レイアウトを自由に設定することができ、構造を簡単として極めて使い勝手のよい仕切り装置を提供することを目的とする。
【０００８】
【課題を解決するための手段】
かかる目的を達成するために、本発明は、建物内に設置して室内空間を仕切る仕切り装置であって、該室内の天井と床とに設けられた支軸と、該支軸に、回転自在且つ該支軸の軸線に対して直交する方向に移動自在に支持された仕切体とを備えるものにおいて、前記仕切体は、矩形状の本体と、該本体の側面に設けられて該本体の長さ方向に移動自在のパネル部材とを備えると共に、前記支軸に着脱自在に支持されており、前記支軸は、棒状に形成されて前記室内の天井から床にわたって延設され、前記仕切体は、該支軸が高さ方向に貫通する貫通孔を介して該支軸に支持されていることを特徴とする。
【００１４】
本発明の仕切り装置によれば、室内において間取りを変更するために仕切体を回転させる際には、仕切体を支軸の軸線に対して直交する方向に移動させて該仕切体の回転軸線を変更して回転半径を小とすることができ、例えば、室内に張り出しや家具等の回転を妨げるものがあってもそれを回避させて仕切体を回転させることができる。
【００１５】
そして更に、本発明の仕切り装置を一つの室内（例えば、展示会場等）に複数設置けることで、より多様な間仕切りレイアウトを形成することができ、しかも、各仕切体を支軸の軸線に対して直交する方向に移動させて各仕切体の回転半径が小となることにより各仕切体同士の干渉を防止して間取りレイアウトの変更を容易に行なうことができる。
また、本発明における前記仕切体は、矩形状の本体の側面に移動自在のパネル部材を設けたことによって、例えば、支軸回りの所望の位置に仕切体を設置したとき、壁と仕切体の側端縁とに間隙が形成されて、更に、その間隙をなくしたい場合には、パネル部材を仕切体本体の長さ方向に移動させてその間隙を塞ぐことができる。そして、該パネル部材によって塞がれた間隙に対しては、該パネル部材を仕切体本体に沿って移動させるだけで引き戸のような開閉動作を行なうことができ、使い勝手を向上させることができる。
しかも、本発明の仕切体は、前記支軸に着脱自在に支持されていることにより、仕切りが不要なときには仕切体を取り外して取除くことができ、また、他の色や形状を有する仕切体への交換を容易に行なうことができる。
【００１６】
また、前記支軸は、棒状に形成されて前記室内の天井から床にわたって延設され、前記仕切体は、該支軸が高さ方向に貫通する貫通孔を備え、該貫通孔は、仕切体の略全長にわたって形成されているので、前記仕切体に前記貫通孔を形成しておき、該貫通孔に前記支軸を貫通させるだけでよいので、構造を極めて簡単として、回転容易とし、仕切体を支軸の軸線に対して直交する方向に容易に移動させることができる。また、前記仕切体の前記貫通孔に棒状の支軸を貫通される構造を採用することによって、建物の柱等を支軸として利用することができる。
【００１８】
更に、仕切体は前記支軸に支持された状態で移動させれば該支軸を仕切体の全長の中央に該支軸を位置させることができるので、仕切体を該支軸回りに回転させるときには、その回転半径が仕切体の全長の１／２となり極めてコンパクトに回転させることができる。
【００２３】
また、同様の効果が得られる本発明の仕切り装置の他の態様としては、該室内の天井と床とに設けられた支軸と、該支軸に、回転自在且つ該支軸の軸線に対して直交する方向に移動自在に支持された仕切体とを備えるものにおいて、前記仕切体は、矩形状の本体と、該本体の側面に設けられて該本体の長さ方向に移動自在のパネル部材とを備えると共に、前記支軸に着脱自在に支持されており、前記支軸は、天井に設けられた上部支軸と、床に設けられた下部支軸とによって構成され、前記仕切体は、該仕切体の上縁部に沿って移動自在に設けられ前記上部支軸に回転自在に連結された上部連結部材と、該仕切体の下縁部に沿って移動自在に設けられ前記下部支軸に回転自在に連結された下部連結部材とを備え、前記上部連結部材は、前記仕切体の幅方向の両側から該仕切体の上縁部の一部を挟持して該仕切体をその上縁部の略全長にわたって摺動自在に連結保持し、前記下部連結部材は、前記仕切体の幅方向の両側から該仕切体の下縁部の一部を挟持して該仕切体をその下縁部の略全長にわたって摺動自在に連結保持することが挙げられる。即ち、本態様における仕切体は、上部連結部材と下部連結部材とによって移動自在に保持され、上部支軸と下部支軸とによって上部連結部材と下部連結部材とを介して回転自在に軸支される。
【００２７】
また、前記パネル部材の好ましい態様としては、障子や開閉窓等の建具構造体或いは棚や折畳机等の家具構造体を備えることが挙げられる。障子や開閉窓等の建具構造体を前記パネル部材に設けることによって、パネル部材を室内のデザインの一部とすることができる。また、棚や折畳机等の家具構造体をパネル部材に設けることによって、パネル部材を移動させるだけで家具構造体を所望の位置に設置することができ、使い勝手を向上させることができる。
【００３０】
【発明の実施の形態】
本発明の実施形態を図面に基づいて説明する。図１は本発明の第１の実施形態の仕切り装置を示す説明的側面図、図２は図１の仕切り装置を示す説明的平面図、図３は図１の仕切り装置を示す説明的正面図、図４は住宅等における仕切り装置による仕切り状態を模式的に示す説明図、図５は展示会場等における仕切り装置による仕切り状態を模式的に示す説明図、図６はパネル部材に家具構造体及び建具構造体を設けた一例を示す説明的斜視図である。また、図７は本発明の第２の実施形態の仕切り装置を示す説明的側面図、図８は図７の仕切り装置を示す説明的平面図、図９は図７の仕切り装置を示す説明的正面図である。
【００３１】
先ず、本発明の第１の実施形態について図１乃至図６を参照して説明する。第１の実施形態の仕切り装置Ａは、図１に示すように、室内の天井Ｔと床Ｆとの間に垂直方向に立設された棒状の支軸１と、該支軸１に支持された仕切体２とによって構成されている。該仕切体２は、図２及び図３に示すように、前記支軸１に支持された仕切体本体３と、該本体３の両側に摺動自在に設けられた一対の摺動パネル４（パネル部材）とを備えている。仕切体本体３は、互いに対向する額縁状の一対のフレーム５と、各フレーム５に固定支持された一対の本体パネル６（図１示）とを備えている。更に、両フレーム５の側縁部間には、両フレーム５を一体に連結する複数の連結部材７が設けられており、図２に示すように、両フレーム５と各連結部材７とで包囲されることによって形成された仕切体本体３を上下方向に貫通する貫通孔８に前記支軸１が貫通されている。該貫通孔８は、仕切体本体３の長さ方向に形成されており、これによって、仕切体本体３は、前記支軸１回りに回転自在に支持され且つ前記支軸１の軸線に直交する方向に移動自在とされている。なお、図示しないが、連結部材７を取り外し自在に設けておくことにより、仕切体２を支軸１から容易に離脱させることができ、これによって例えば、色やデザインの異なる他の仕切体に交換することができるように構成することも可能である。そして、図１及び図３に示すように、該仕切体本体３の下部両端部には床Ｆ上を円滑に移動させるために複数のキャスター９が設けられている。
【００３２】
また、前記摺動パネル４は、図１及び図３に示すように、前記仕切体本体３の両フレーム５の上下縁に互いに対向して延設された案内レール１０に摺動自在に保持されている。該摺動パネル４の下部一端部には、前記仕切体本体３と同様に床Ｆ上を円滑に移動させるためのキャスター１１が設けられている。
【００３３】
以上の構成からなる仕切り装置Ａは、次のようにして用いられる。先ず、図４（ａ）に示すように、両摺動パネル４を引き伸ばして、室内の所望の位置を仕切ることによって、居住空間を居住者の好みの間取りに形成することができる。このとき、壁Ｗに摺動パネル４を当接させるようにして仕切った場合には、摺動パネル４が仕切体本体３に摺動自在に設けられていることから該摺動パネル４を引き戸のように開閉させて通り抜けすることができる。なお、図示しないが、通り抜け可能とする場合には、摺動パネル４に開閉扉を設けてもよい。
【００３４】
そして、間取りの変更を行なう際には、図４（ｂ）に示すように、両摺動パネル４を仕切体本体３の両側に引き込み、支軸１が仕切体２の略中央に位置するように該仕切体２を支軸１の軸線に直交する方向に移動させる。こうすることによって、仕切体２を該仕切体２の全長の略１／２を回転半径としてコンパクトに回転させることができ、室内に張り出し壁Ｘが設けられていても、該張り出し壁Ｘに仕切体２が干渉することなく容易に回転させることができる。
【００３５】
その後、例えば、図４（ｃ）に示すように、仕切体本体３を張り出し壁Ｘと同一線上に位置させ、一方の摺動パネル４を引き伸ばして壁Ｗに当接させることにより、図４（ａ）に示す間取りと異なった間取りに変更することができる。このときにも、一方の摺動パネル４を引き戸のように開閉させて通り抜けすることができる。
【００３６】
また、本実施形態における仕切り装置Ａを展示会場等に用いる場合には、図５（ａ）に示すように、複数の仕切り装置Ａを配置する。そして、例えば、図５（ｂ）に示すように、各仕切体２ａ，２ｂ，２ｃ，２ｄを所望の方向に回転させる。即ち、仕切体２ａ，２ｃを平面示縦方向に回転させて一方の摺動パネル４を引き伸ばす。次いで、平面示横向きの仕切体２ｂ，２ｄを移動させて一端を縦向きの仕切体２ａ，２ｃに当接し、一方の摺動パネル４を引き伸ばす。これによって、比較的広い展示会場を各展示コーナーＣに仕切ることができる。なお、図中Ｙは円卓でありＺは椅子を示している。
【００３７】
更に、図５（ｃ）に示すように、各仕切体２ａ，２ｂ，２ｃ，２ｄを４５°ずつ回転させることによって、各展示コーナーＣを他の形状に容易に変更することができる。なお、図示しないが、各摺動パネル４を屈曲自在としておいてもよく、仕切り壁の一部において摺動パネル４を屈曲させて通り抜け自在とすることもできる。
【００３８】
また、前記摺動パネル４は、図６に示すように、折畳机等の家具構造体１２や障子等の建具構造体１３を設けることができる。こうすることによって、例えば、図４（ａ）に示すように室内に設けたときに、障子等の建具構造体１３を引き戸として摺動パネル４による間取りに合わせた居住空間を演出することができる。また、折畳机等の家具構造体１２を用いて摺動パネル４の使い勝手を向上させることができる。
【００３９】
なお、第１の実施形態においては前記フレーム５と前記本体パネル６とを用いて仕切体２全体を軽量に構成したが、本発明はこれに限るものではなく、例えば、図示しないが、前記支軸１の直径よりも幅寸法を大とした板部材を用いてもよい。その場合には、該板部材に上下に貫通する貫通孔を形成し、該貫通孔を該板部材の長さ方向に延設して該板部材が回転自在且つ支軸１の軸線に直交する方向に移動自在に形成してもよい。また、本体パネル６は、板ガラス（透明ガラス、波ガラス、磨りガラス等）、或いは各種模様や写真等のプリントを施した装飾板等を用いることができる。
【００４０】
また、第１の実施形態においては前記仕切体２の前記貫通孔８に棒状の支軸１を貫通される構造を採用することによって、建物の柱等を支軸１として利用することができるものを示したが、本発明はこれに限るものではなく、例えば、図示しないが、棒状の支軸１に替えて、天井と床とに同一軸線上に対向する一対の支軸を設けてもよい。この場合には、仕切体２の上下に貫通する貫通孔８に替えて、仕切体２の上縁に沿って天井側の支軸が回転自在且つ移動自在に挿着される上部係合溝を設けると共に、仕切体２の下縁に沿って床側の支軸が回転自在且つ移動自在に挿着される下部係合溝を設けることが挙げられる。これにより、本体パネル６に図示しない窓や障子といった他の建具構造体を設けても、上下の支軸に干渉することなく仕切体２を移動させることができる。また、支軸については、天井と床との何れか一方に設けておいてもよい。
【００４１】
次に、本発明の第２の実施形態について図７乃至図１０を参照して説明する。第２の実施形態の仕切り装置Ｂは、図７に示すように、室内の天井Ｔに設けられた上部支軸２０と、該上部支軸２０に対向して床Ｆに設けられた下部支軸２１と、両支軸２０，２１に支持された仕切体２２とによって構成されている。該仕切体２２は、図８及び図９に示すように、両支軸２０，２１に支持された仕切体本体２３と、該本体２３の両側に摺動自在に設けられた一対の摺動パネル２４（パネル部材）とを備えている。仕切体本体２３は、両面額縁状のフレーム２５と、該フレーム２５に固定支持された本体パネル２６とを備えている。更に、仕切体本体２３の下部両端部には床Ｆ上を円滑に移動させるために複数のキャスター２７が設けられている。
【００４２】
前記摺動パネル２４は、図７及び図９に示すように、前記仕切体本体２３のフレーム２５の上下縁に互いに対向して延設された案内レール２８に摺動自在に保持されている。そして、図７に示すように、該摺動パネル２４の下部一端部には床Ｆ上を円滑に移動させるためのキャスター２９が設けられている。
【００４３】
また、図７及び図９に示すように、前記仕切体２２は、前記上部支軸２０に連結された上部連結部材３０と前記下部支軸２１に連結された下部連結部材３１とを介して支持されている。図９に示すように、上部連結部材３０は、前記上部支軸２０に回転自在に連結された支持板３２と、該支持板３２に回転自在に設けられた一対のローラ３３とを備えている。両ローラ３３は互いに対向して前記仕切体２２の上縁部を挟持し、上方の案内レール２８の外側に沿って圧接回転自在とされている。また、下部連結部材３１は、前記下部支軸２１に回転自在に連結された支持板３４と、該支持板３４に回転自在に設けられた一対のローラ３５とを備えている。両ローラ３５は互いに対向して前記仕切体２２の下縁部を挟持し、下方の案内レール２８の外側に沿って圧接回転自在とされている。そして、上部連結部材３０の各ローラ３３と下部連結部材３１の各ローラ３５とは夫々シャフト３６を介して一体に回転されるようになっている。
【００４４】
以上の構成からなる第２の実施形態の仕切り装置Ｂは、上部支軸２０と下部支軸２１とによって仕切体２２が回転自在且つ両支軸２０，２１の軸線に直交する方向に移動自在とされる。従って、第２の実施形態の仕切り装置Ｂにおいても、前述した図４（ａ）乃至図４（ｃ）に示す第１の実施形態の仕切り装置Ａと同様に、室内に設けて居住者の好みに応じた間取りを形成することができ、間取りの変更も極めて容易に行なうことができる。また、前述した図５（ａ）乃至図５（ｃ）に示す第１の実施形態の仕切り装置Ａと同様に、展示会場等において各展示コーナーを所望の形状に仕切ることができる。
【００５４】
また、前述した各実施形態の仕切体Ａ，Ｂにおいては、図示しないが、その下端縁の何れかの位置に、ストッパーピンを上下方向に進退自在に設けておき、仕切体Ａ，Ｂの設置位置に応じて、該ストッパーピンを突出させて、床或いは地面に形成された係合孔に係合させることもできる。これによって、仕切体Ａ，Ｂの移動や回転を解除自在に固定することができる。
【図面の簡単な説明】
【図１】  本発明の第１の実施形態の仕切り装置を示す説明的側面図。
【図２】  図１の仕切り装置を示す説明的平面図。
【図３】  図１の仕切り装置を示す説明的正面図。
【図４】  住宅等における仕切り装置による仕切り状態を模式的に示す説明図。
【図５】  展示会場等における仕切り装置による仕切り状態を模式的に示す説明図。
【図６】  パネル部材に家具構造体及び建具構造体を設けた一例を示す説明的斜視図。
【図７】  本発明の第２の実施形態の仕切り装置を示す説明的側面図。
【図８】  図７の仕切り装置を示す説明的平面図。
【図９】  図７の仕切り装置を示す説明的正面図。
【符号の説明】
Ａ，Ｂ…仕切り装置、Ｔ…天井、Ｆ…床、１…支軸、２，２ａ，２ｂ，２ｃ，２ｄ，２２
…仕切体、８…貫通孔、２０…上部支軸、２１…下部支軸、３０…上部連結部材、３１…
下部連結部材、３，２３…仕切体本体、４，２４…摺動パネル（パネル部材）、１３…建
具構造体、１２…家具構造体。
【図１】
0003706598.tif 000002
【図２】
0003706598.tif 000003
【図３】
0003706598.tif 000004
【図４】
0003706598.tif 000005
【図５】
0003706598.tif 000006
【図６】
0003706598.tif 000007
【図７】
0003706598.tif 000008
【図８】
0003706598.tif 000009
【図９】
0003706598.tif 000010